(57)【要約】【課題】物品が保管場所から持ち出された場合に、その物品を持ち出した人物を特定する。【解決手段】出入履歴記録部１５１は、保管室２００（保管場所）に対する人の出入りを時刻とともに記録する。読取履歴記録部１５２は、保管室２００に保管されている媒体２１０（物品）の識別子がリーダ１３０により読み取られる度に、リーダ１３０により読み取られた識別子を時刻とともに記録する。物品検出部１５４は、読取履歴記録部１５２を参照して、時刻Ｔ１では識別子がリーダ１３０により読み取られたが時刻Ｔ１の次の時刻Ｔ２では識別子がリーダ１３０により読み取られなかった媒体２１０を検出する。人物抽出部１５５は、出入履歴記録部１５１を参照して、時刻Ｔ２以前に保管室２００に入って時刻Ｔ１より後に保管室２００を出た人を、物品検出部１５４により検出された媒体２１０を持ち出した人物の候補として抽出する。【選択図】図１
2014118274.tif 000002
【特許請求の範囲】
【請求項１】
物品を一意に識別する識別子が記録された識別子記録体が付された物品が複数保管される保管場所に設置され、前記保管場所に保管されている物品のそれぞれに付された識別子記録体から前記保管場所に保管されている物品の識別子を繰り返し読み取る識別子読取装置と、
前記保管場所に対する人の出入りを時刻とともに記録する出入履歴記録部と、
前記保管場所に保管されている物品の識別子が前記識別子読取装置により読み取られる度に、前記識別子読取装置により読み取られた識別子を時刻とともに記録する読取履歴記録部と、
前記読取履歴記録部を参照して、第１時刻では識別子が前記識別子読取装置により読み取られたが前記第１時刻の次に前記読取履歴記録部に記録された第２時刻では識別子が前記識別子読取装置により読み取られなかった物品を検出する物品検出部と、
前記出入履歴記録部を参照して、前記第２時刻以前に前記保管場所に入って前記第１時刻より後に前記保管場所を出た人を、前記物品検出部により検出された物品を持ち出した人物の候補として抽出する人物抽出部と
を備えることを特徴とする物品管理システム。
【請求項２】
前記保管場所に保管されている物品の貸し出しを時刻とともに記録する貸出履歴記録部をさらに備え、
前記物品検出部は、前記貸出履歴記録部を参照して、前記第１時刻から前記第２時刻までに貸し出された物品を検出の対象から除外することを特徴とする請求項１の物品管理システム。
【請求項３】
前記物品検出部は、前記出入履歴記録部を参照して、前記保管場所にいる人の数に応じて、前記保管場所に保管されている物品の識別子を前記識別子読取装置に読み取らせるタイミングを調整することを特徴とする請求項１又は２の物品管理システム。
【請求項４】
前記物品検出部は、前記読取履歴記録部を参照して、前記第２時刻から所定の時間内に識別子が前記識別子読取装置により再び読み取られた物品を検出の対象から除外することを特徴とする請求項１から３のいずれかの物品管理システム。
【請求項５】
前記物品検出部は、前記読取履歴記録部を参照して、前記第２時刻の後に前記読取履歴記録部に記録された第３時刻では識別子が前記識別子読取装置により読み取られなかったが前記第３時刻の次に前記読取履歴記録部に記録された第４時刻では識別子が前記識別子読取装置により読み取られた物品を検出し、
前記人物抽出部は、前記出入履歴記録部を参照して、前記第４時刻以前に前記保管場所に入って前記第３時刻より後に前記保管場所を出た人を、前記物品検出部により検出された物品を戻した人物の候補として抽出することを特徴とする請求項１から３のいずれかの物品管理システム。
【請求項６】
前記物品検出部は、前記保管場所から人がいなくなったときに、前記人物抽出部に動作を開始させることを特徴とする請求項１から５のいずれかの物品管理システム。
【請求項７】
前記物品検出部は、前記第２時刻から一定の時間が経過したときに、前記人物抽出部に動作を開始させることを特徴とする請求項１から５のいずれかの物品管理システム。
【請求項８】
前記物品検出部は、予め定められた単位期間ごとに、前記人物抽出部に動作を開始させることを特徴とする請求項１から５のいずれかの物品管理システム。
【請求項９】
前記識別子記録体は、ＩＣタグであることを特徴とする請求項１から８のいずれかの物品管理システム。
【請求項１０】
物品を一意に識別する識別子が記録された識別子記録体が付された物品が複数保管される保管場所に設置され、前記保管場所に保管されている物品のそれぞれに付された識別子記録体から前記保管場所に保管されている物品の識別子を繰り返し読み取る識別子読取装置とを利用する物品管理装置であって、
前記保管場所に対する人の出入りを時刻とともに記録する出入履歴記録部と、
前記保管場所に保管されている物品の識別子が前記識別子読取装置により読み取られる度に、前記識別子読取装置により読み取られた識別子を時刻とともに記録する読取履歴記録部と、
前記読取履歴記録部を参照して、第１時刻では識別子が前記識別子読取装置により読み取られたが前記第１時刻の次に前記読取履歴記録部に記録された第２時刻では識別子が前記識別子読取装置により読み取られなかった物品を、持ち出された物品として検出する物品検出部と、
前記出入履歴記録部を参照して、前記第２時刻以前に前記保管場所に入って前記第１時刻より後に前記保管場所を出た人を、前記物品検出部により検出された物品を持ち出した人物の候補として抽出する人物抽出部と
を備えることを特徴とする物品管理装置。
【請求項１１】
物品を一意に識別する識別子が記録された識別子記録体が付された物品が複数保管される保管場所に設置され、前記保管場所に保管されている物品のそれぞれに付された識別子記録体から前記保管場所に保管されている物品の識別子を繰り返し読み取る識別子読取装置とを利用するコンピュータであって、前記保管場所に対する人の出入りを時刻とともに記録する出入履歴記録部と、前記保管場所に保管されている物品の識別子が前記識別子読取装置により読み取られる度に、前記識別子読取装置により読み取られた識別子を時刻とともに記録する読取履歴記録部とを備えるコンピュータを、
前記読取履歴記録部を参照して、第１時刻では識別子が前記識別子読取装置により読み取られたが前記第１時刻の次に前記読取履歴記録部に記録された第２時刻では識別子が前記識別子読取装置により読み取られなかった物品を検出する物品検出部と、
前記出入履歴記録部を参照して、前記第２時刻以前に前記保管場所に入って前記第１時刻より後に前記保管場所を出た人を、前記物品検出部により検出された物品を持ち出した人物の候補として抽出する人物抽出部
として機能させるためのプログラム。
【発明の詳細な説明】
【技術分野】
【０００１】
本発明は、物品管理システム及び物品管理装置及びプログラムに関するものである。
【背景技術】
【０００２】
物品にＩＣタグを貼付して物品の持ち出しを管理するシステムがある（例えば、特許文献１〜５参照）。
【先行技術文献】
【特許文献】
【０００３】
【特許文献１】特開２０１１−６３３８０号公報
【特許文献２】特開２０１１−６００４１号公報
【特許文献３】特開２０１０−２１８３８３号公報
【特許文献４】特開２００９−３５９９４号公報
【特許文献５】特開２００７−３１０４８３号公報
【発明の概要】
【発明が解決しようとする課題】
【０００４】
従来のシステムでは、物品の保管場所の出口にアンテナを設置したとしても、悪意を持った者がアルミ箔等の伝導性のある金属等でＩＣタグあるいは物品全体を包む等の処置を施した場合、物品の持ち出しを検知することができなかった。また、物品が持ち出された場合に、その物品を持ち出した人物を特定することもできなかった。持ち出された物品が個人情報、機密情報といった重要な情報を記録した媒体である場合、その媒体を持ち出した人物を特定できなければ、情報の漏洩等、深刻な事態に陥る可能性がある。
【０００５】
本発明は、例えば、物品が保管場所から持ち出された場合に、その物品を持ち出した人物を特定することを目的とする。
【課題を解決するための手段】
【０００６】
本発明の一の態様に係る物品管理システムは、
物品を一意に識別する識別子が記録された識別子記録体が付された物品が複数保管される保管場所に設置され、前記保管場所に保管されている物品のそれぞれに付された識別子記録体から前記保管場所に保管されている物品の識別子を繰り返し読み取る識別子読取装置と、
前記保管場所に対する人の出入りを時刻とともに記録する出入履歴記録部と、
前記保管場所に保管されている物品の識別子が前記識別子読取装置により読み取られる度に、前記識別子読取装置により読み取られた識別子を時刻とともに記録する読取履歴記録部と、
前記読取履歴記録部を参照して、第１時刻では識別子が前記識別子読取装置により読み取られたが前記第１時刻の次に前記読取履歴記録部に記録された第２時刻では識別子が前記識別子読取装置により読み取られなかった物品を検出する物品検出部と、
前記出入履歴記録部を参照して、前記第２時刻以前に前記保管場所に入って前記第１時刻より後に前記保管場所を出た人を、前記物品検出部により検出された物品を持ち出した人物の候補として抽出する人物抽出部とを備える。
【０００７】
本発明の一の態様に係る物品管理システムは、
前記保管場所に保管されている物品の貸し出しを時刻とともに記録する貸出履歴記録部をさらに備え、
前記物品検出部は、前記貸出履歴記録部を参照して、前記第１時刻から前記第２時刻までに貸し出された物品を検出の対象から除外する。
【０００８】
本発明の一の態様において、
前記物品検出部は、前記出入履歴記録部を参照して、前記保管場所にいる人の数に応じて、前記保管場所に保管されている物品の識別子を前記識別子読取装置に読み取らせるタイミングを調整する。
【０００９】
本発明の一の態様において、
前記物品検出部は、前記読取履歴記録部を参照して、前記第２時刻から所定の時間内に識別子が前記識別子読取装置により再び読み取られた物品を検出の対象から除外する。
【００１０】
本発明の一の態様において、
前記物品検出部は、前記読取履歴記録部を参照して、前記第２時刻の後に前記読取履歴記録部に記録された第３時刻では識別子が前記識別子読取装置により読み取られなかったが前記第３時刻の次に前記読取履歴記録部に記録された第４時刻では識別子が前記識別子読取装置により読み取られた物品を検出し、
前記人物抽出部は、前記出入履歴記録部を参照して、前記第４時刻以前に前記保管場所に入って前記第３時刻より後に前記保管場所を出た人を、前記物品検出部により検出された物品を戻した人物の候補として抽出する。
【００１１】
本発明の一の態様において、
前記物品検出部は、前記保管場所から人がいなくなったときに、前記人物抽出部に動作を開始させる。
【００１２】
本発明の一の態様において、
前記物品検出部は、前記第２時刻から一定の時間が経過したときに、前記人物抽出部に動作を開始させる。
【００１３】
本発明の一の態様において、
前記物品検出部は、予め定められた単位期間ごとに、前記人物抽出部に動作を開始させる。
【００１４】
本発明の一の態様において、
前記識別子記録体は、ＩＣタグである。
【００１５】
本発明の一の態様に係る物品管理装置は、
物品を一意に識別する識別子が記録された識別子記録体が付された物品が複数保管される保管場所に設置され、前記保管場所に保管されている物品のそれぞれに付された識別子記録体から前記保管場所に保管されている物品の識別子を繰り返し読み取る識別子読取装置とを利用する物品管理装置であって、
前記保管場所に対する人の出入りを時刻とともに記録する出入履歴記録部と、
前記保管場所に保管されている物品の識別子が前記識別子読取装置により読み取られる度に、前記識別子読取装置により読み取られた識別子を時刻とともに記録する読取履歴記録部と、
前記読取履歴記録部を参照して、第１時刻では識別子が前記識別子読取装置により読み取られたが前記第１時刻の次に前記読取履歴記録部に記録された第２時刻では識別子が前記識別子読取装置により読み取られなかった物品を、持ち出された物品として検出する物品検出部と、
前記出入履歴記録部を参照して、前記第２時刻以前に前記保管場所に入って前記第１時刻より後に前記保管場所を出た人を、前記物品検出部により検出された物品を持ち出した人物の候補として抽出する人物抽出部とを備える。
【００１６】
本発明の一の態様に係るプログラムは、
物品を一意に識別する識別子が記録された識別子記録体が付された物品が複数保管される保管場所に設置され、前記保管場所に保管されている物品のそれぞれに付された識別子記録体から前記保管場所に保管されている物品の識別子を繰り返し読み取る識別子読取装置とを利用するコンピュータであって、前記保管場所に対する人の出入りを時刻とともに記録する出入履歴記録部と、前記保管場所に保管されている物品の識別子が前記識別子読取装置により読み取られる度に、前記識別子読取装置により読み取られた識別子を時刻とともに記録する読取履歴記録部とを備えるコンピュータを、
前記読取履歴記録部を参照して、第１時刻では識別子が前記識別子読取装置により読み取られたが前記第１時刻の次に前記読取履歴記録部に記録された第２時刻では識別子が前記識別子読取装置により読み取られなかった物品を検出する物品検出部と、
前記出入履歴記録部を参照して、前記第２時刻以前に前記保管場所に入って前記第１時刻より後に前記保管場所を出た人を、前記物品検出部により検出された物品を持ち出した人物の候補として抽出する人物抽出部として機能させるためのプログラムである。
【発明の効果】
【００１７】
本発明の一の態様において、出入履歴記録部は、保管場所に対する人の出入りを時刻とともに記録する。読取履歴記録部は、保管場所に保管されている物品の識別子が識別子読取装置により読み取られる度に、識別子読取装置により読み取られた識別子を時刻とともに記録する。物品検出部は、読取履歴記録部を参照して、第１時刻では識別子が識別子読取装置により読み取られたが第１時刻の次に読取履歴記録部に記録された第２時刻では識別子が識別子読取装置により読み取られなかった物品を検出する。人物抽出部は、出入履歴記録部を参照して、第２時刻以前に保管場所に入って第１時刻より後に保管場所を出た人を、物品検出部により検出された物品を持ち出した人物の候補として抽出する。このため、本発明の一の態様によれば、物品が保管場所から持ち出された場合に、その物品を持ち出した人物を特定することが可能となる。
【図面の簡単な説明】
【００１８】
【図１】実施の形態１に係る物品管理システムの構成を示すブロック図。
【図２】実施の形態１に係る物品管理装置の人物抽出部による抽出の対象となる人物の入退室のタイミングを示す図。
【図３】実施の形態１に係る物品管理装置のハードウェア構成の一例を示す図。
【図４】実施の形態１に係る物品管理システムの動作を示すフローチャート。
【図５】実施の形態１に係る物品管理装置の人物抽出部の動作を示すフローチャート。
【図６】実施の形態２に係る物品管理装置の人物抽出部による抽出の対象となる人物の入退室のタイミングを示す図。
【発明を実施するための形態】
【００１９】
以下、本発明の実施の形態について、図を用いて説明する。
【００２０】
実施の形態１．
図１は、本実施の形態に係る物品管理システム１００の構成を示すブロック図である。
【００２１】
図１において、物品管理システム１００は、ＩＣタグ１１０（識別子記録体の一例）、アンテナ１２０及びリーダ１３０（識別子読取装置の一例）、入退室ゲート１４０、物品管理装置１５０を備える。
【００２２】
ＩＣタグ１１０には、媒体ＩＤが記録される。媒体ＩＤは、個人情報（例えば、顧客情報）、機密情報、あるいは、その他の任意の情報が記録された媒体２１０（物品の一例）を一意に識別する識別子である。ＩＣタグ１１０は、それ自体に記録された媒体ＩＤに対応する媒体２１０に貼付される。例えば、媒体ＩＤ「１」が記録されたＩＣタグ１１０は、媒体ＩＤ「１」の媒体２１０に貼付される。本実施の形態では、資産管理の対象となる全ての媒体２１０にＩＣタグ１１０が貼付されるものとする。
【００２３】
アンテナ１２０は、媒体２１０が複数保管される保管室２００（保管場所の一例）に設置される。本実施の形態では、保管室２００の出口にアンテナ１２０が設置される代わりに、保管室２００に保管される全ての媒体２１０のＩＣタグ１１０に電波が届くように（例えば、保管室２００の天井等に分散して）アンテナ１２０が複数個設置される。リーダ１３０は、保管室２００に保管されている媒体２１０のそれぞれに貼付されたＩＣタグ１１０から、アンテナ１２０を介して、保管室２００に保管されている媒体２１０の媒体ＩＤを繰り返し読み取る。本実施の形態では、リーダ１３０は、保管室２００に設置されたアンテナ１２０を用いて定期的に（分単位といったなるべく短い周期で）媒体２１０の棚卸しを行う（即ち、全数チェックを行う）ものとする。
【００２４】
入退室ゲート１４０は、保管室２００の出口に設置される。本実施の形態では、入室又は退室する人が、非接触ＩＣカード等に記録された自分の職員ＩＤを入退室ゲート１４０に読み取らせ、認証が成功した場合のみ、入室又は退室することができるものとする。職員ＩＤは、入室及び退室する人を一意に識別する識別子である。通常、資産の現物が保管されるような場所には、入退室管理の仕組みが導入されているため、そのような場所に本実施の形態を適用する場合、入退室ゲート１４０としては既存の設備を流用することができる。
【００２５】
物品管理装置１５０は、リーダ１３０及び入退室ゲート１４０とネットワーク３００を介して接続されている。物品管理装置１５０は、出入履歴記録部１５１、読取履歴記録部１５２、貸出履歴記録部１５３、物品検出部１５４、人物抽出部１５５を備える。
【００２６】
また、物品管理装置１５０は、処理装置１９１、記憶装置１９２、入力装置１９３、出力装置１９４等のハードウェアを備える。ハードウェアは物品管理装置１５０の各部によって利用される。例えば、処理装置１９１は、物品管理装置１５０の各部でデータや情報の演算、加工、読み取り、書き込み等を行うために利用される。記憶装置１９２は、そのデータや情報を記憶するために利用される。また、入力装置１９３は、そのデータや情報を入力するために、出力装置１９４は、そのデータや情報を出力するために利用される。
【００２７】
出入履歴記録部１５１は、保管室２００に対する人の出入りを時刻とともに記録する。例えば、職員ＩＤ「Ｘ」の人が２０１２年１２月１日１０時００分に入室したとすると、出入履歴記録部１５１は、
・時刻：「２０１２年１２月１日１０時００分」
・職員ＩＤ：「Ｘ」
・種別：「入室」
というデータを入退室ゲート１４０から受信し、受信したデータを記憶装置１９２により記録する。また、例えば、職員ＩＤ「Ｘ」の人が２０１２年１２月１日１０時３０分に退室したとすると、出入履歴記録部１５１は、
・時刻：「２０１２年１２月１日１０時３０分」
・職員ＩＤ：「Ｘ」
・種別：「退室」
というデータを入退室ゲート１４０から受信し、受信したデータを記憶装置１９２により記録する。
【００２８】
読取履歴記録部１５２は、保管室２００に保管されている媒体２１０の媒体ＩＤがリーダ１３０により読み取られる度に、リーダ１３０により読み取られた媒体ＩＤを時刻とともに記録する。例えば、媒体ＩＤ「１」〜「６」の６個の媒体２１０が、２０１２年１２月１日１０時１０分に保管室２００に保管されていたとする。リーダ１３０が、その時刻に媒体ＩＤ「１」〜「６」の媒体２１０のそれぞれに貼付されたＩＣタグ１１０から、アンテナ１２０を介して、媒体ＩＤ「１」〜「６」を読み取ったとする。この場合、読取履歴記録部１５２は、
・時刻：「２０１２年１２月１日１０時１０分」
・媒体ＩＤ：「１」〜「６」
というデータをリーダ１３０から受信し、受信したデータを記憶装置１９２により記録する。
【００２９】
貸出履歴記録部１５３は、保管室２００に保管されている媒体２１０の貸し出しを時刻とともに記録する。例えば、職員ＩＤ「Ｘ」の人が２０１２年１２月１日１０時１５分に媒体ＩＤ「１」の媒体２１０を借りたとすると、貸出履歴記録部１５３は、
・時刻：「２０１２年１２月１日１０時１５分」
・媒体ＩＤ：「１」
・職員ＩＤ：「Ｘ」
・種別：「貸し出し」
というデータの入力を入力装置１９３により受け付け、入力されたデータを記憶装置１９２により記録する。また、例えば、職員ＩＤ「Ｘ」の人が２０１２年１２月１日１２時００分に媒体ＩＤ「１」の媒体２１０を返したとすると、貸出履歴記録部１５３は、
・時刻：「２０１２年１２月１日１２時００分」
・媒体ＩＤ：「１」
・職員ＩＤ：「Ｘ」
・種別：「返却」
というデータの入力を入力装置１９３により受け付け、入力されたデータを記憶装置１９２により記録する。
【００３０】
物品検出部１５４は、読取履歴記録部１５２を参照して、時刻Ｔ１（第１時刻）では媒体ＩＤがリーダ１３０により読み取られたが時刻Ｔ１の次に読取履歴記録部１５２に記録された時刻Ｔ２（第２時刻）では媒体ＩＤがリーダ１３０により読み取られなかった媒体２１０を検出する。即ち、物品検出部１５４は、読取履歴記録部１５２を参照して、媒体ＩＤが読み取れなかった媒体２１０と時刻（時刻Ｔ２）とを特定し、その媒体２１０の媒体ＩＤが読み取れた時刻（時刻Ｔ１）を検出する。それにより、不正に持ち出された媒体２１０の媒体ＩＤ、時刻Ｔ１、時刻Ｔ２が特定される。例えば、リーダ１３０が１０分ごとに媒体２１０の棚卸しを行っていたとする。読取履歴記録部１５２が、
・時刻：「２０１２年１２月１日１０時００分」
・媒体ＩＤ：「１」〜「７」
というデータと、
・時刻：「２０１２年１２月１日１０時１０分」
・媒体ＩＤ：「１」〜「６」
というデータとを記録していたとする。この場合、物品検出部１５４は、時刻Ｔ１である２０１２年１２月１日１０時００分から時刻Ｔ２である２０１２年１２月１日１０時１０分までの間に媒体ＩＤ「７」の媒体２１０が保管室２００から不正に持ち出されたことを処理装置１９１により検出する。このとき、物品検出部１５４は、媒体ＩＤ「７」の媒体２１０が不正に持ち出されたという情報を出力装置１９４により画面表示したり、音声出力したり、管理者等にメール送信したりしてもよい。
【００３１】
本実施の形態において、物品検出部１５４は、貸出履歴記録部１５３を参照して、時刻Ｔ１から時刻Ｔ２までに貸し出された媒体２１０を検出の対象から除外する。例えば、リーダ１３０が１０分ごとに媒体２１０の棚卸しを行っていたとする。読取履歴記録部１５２が、
・時刻：「２０１２年１２月１日１０時１０分」
・媒体ＩＤ：「１」〜「６」
というデータと、
・時刻：「２０１２年１２月１日１０時２０分」
・媒体ＩＤ：「２」〜「６」
というデータとを記録していたとする。貸出履歴記録部１５３が、
・時刻：「２０１２年１２月１日１０時１５分」
・媒体ＩＤ：「１」
・職員ＩＤ：「Ｘ」
・種別：「貸し出し」
というデータを記録していたとする。この場合、物品検出部１５４は、２０１２年１２月１日１０時１５分に媒体ＩＤ「１」の媒体２１０が貸し出されているため、時刻Ｔ１である２０１２年１２月１日１０時１０分から時刻Ｔ２である２０１２年１２月１日１０時２０分までの間に媒体ＩＤ「１」の媒体２１０が保管室２００から持ち出されているが、この持ち出しは貸し出しによるものである（即ち、不正なものではない）ことを処理装置１９１により検出する。
【００３２】
人物抽出部１５５は、出入履歴記録部１５１を参照して、時刻Ｔ２以前に保管室２００に入って時刻Ｔ１より後に保管室２００を出た人を、物品検出部１５４により検出された媒体２１０を持ち出した人物の候補として抽出する。例えば、物品検出部１５４が、時刻Ｔ１である２０１２年１２月１日１０時００分から時刻Ｔ２である２０１２年１２月１日１０時１０分までの間に媒体ＩＤ「７」の媒体２１０が保管室２００から持ち出されたことを検出したとする。出入履歴記録部１５１が、
・時刻：「２０１２年１２月１日１０時００分」
・職員ＩＤ：「Ｘ」
・種別：「入室」
というデータと、
・時刻：「２０１２年１２月１日１０時３０分」
・職員ＩＤ：「Ｘ」
・種別：「退室」
というデータとを記録していたとする。この場合、人物抽出部１５５は、職員ＩＤ「Ｘ」の人が時刻Ｔ２以前である２０１２年１２月１日１０時００分に入室して時刻Ｔ１より後である２０１２年１２月１日１０時３０分に退室しているため、職員ＩＤ「Ｘ」の人を、媒体ＩＤ「７」の媒体２１０を持ち出した人物の候補として処理装置１９１により抽出する。そして、人物抽出部１５５は、職員ＩＤ「Ｘ」の人が媒体ＩＤ「７」の媒体２１０を持ち出したことが疑われるという情報を出力装置１９４により画面表示したり、音声出力したり、管理者等にメール送信したりする。
【００３３】
図２は、人物抽出部１５５による抽出の対象となる人物の入退室のタイミングを示す図である。
【００３４】
図２において、ある媒体２１０の媒体ＩＤが、時刻Ｔ１ではリーダ１３０により読み取られたが、時刻Ｔ２ではリーダ１３０により読み取られなかったとする。このとき、以下のように、職員ＩＤ「Ａ」、「Ｂ」、「Ｃ」、「Ｄ」の人が人物抽出部１５５による抽出の対象となる。
（Ａ）職員ＩＤ「Ａ」の人は、時刻Ｔ１より前に入室して時刻Ｔ２より後に退室しているため、時刻Ｔ２の前後は、該当する媒体２１０を保管室２００内でアンテナ１２０の電波から隠しておき、その後、該当する媒体２１０を保管室２００から持ち出すことができた人物である。よって、職員ＩＤ「Ａ」の人は、人物抽出部１５５による抽出の対象となる。
（Ｂ）職員ＩＤ「Ｂ」の人は、時刻Ｔ１から時刻Ｔ２までの間に入室及び退室しているため、時刻Ｔ１から時刻Ｔ２までの間に、該当する媒体２１０を保管室２００から持ち出すことができた人物である。よって、職員ＩＤ「Ｂ」の人は、人物抽出部１５５による抽出の対象となる。
（Ｃ）職員ＩＤ「Ｃ」の人は、時刻Ｔ１から時刻Ｔ２までの間に入室して時刻Ｔ２より後に退室しているため、時刻Ｔ２の前後は、該当する媒体２１０を保管室２００内でアンテナ１２０の電波から隠しておき、その後、該当する媒体２１０を保管室２００から持ち出すことができた人物である。よって、職員ＩＤ「Ｃ」の人は、人物抽出部１５５による抽出の対象となる。
（Ｄ）職員ＩＤ「Ｄ」の人は、時刻Ｔ１より前に入室して時刻Ｔ１から時刻Ｔ２までの間に退室しているため、時刻Ｔ１から時刻Ｔ２までの間に、該当する媒体２１０を保管室２００から持ち出すことができた人物である。よって、職員ＩＤ「Ｄ」の人は、人物抽出部１５５による抽出の対象となる。
【００３５】
上記のように、本実施の形態では、ＩＣタグ１１０のスキャンによる棚卸しの時刻と結果とをログに出力して保存する。本来存在すべき資産の欠損が確認された場合には、資産の現物の不正持ち出しと判断して、必要に応じてアラームを出力する。さらに、入退室管理のログと照合して、不正持ち出しが可能な者をリストアップして必要部署に通知する。不正持ち出しが疑われる人物が複数いる場合には、その中から実際に不正持ち出しを行った者を人手で特定することもできる。
【００３６】
図３は、物品管理装置１５０のハードウェア構成の一例を示す図である。
【００３７】
図３において、物品管理装置１５０は、コンピュータであり、ＬＣＤ９０１（Ｌｉｑｕｉｄ・Ｃｒｙｓｔａｌ・Ｄｉｓｐｌａｙ）、キーボード９０２（Ｋ／Ｂ）、マウス９０３、ＦＤＤ９０４（Ｆｌｅｘｉｂｌｅ・Ｄｉｓｋ・Ｄｒｉｖｅ）、ＣＤＤ９０５（Ｃｏｍｐａｃｔ・Ｄｉｓｃ・Ｄｒｉｖｅ）、プリンタ９０６といったハードウェアデバイスを備えている。これらのハードウェアデバイスはケーブルや信号線で接続されている。ＬＣＤ９０１の代わりに、ＣＲＴ（Ｃａｔｈｏｄｅ・Ｒａｙ・Ｔｕｂｅ）、あるいは、その他の表示装置が用いられてもよい。マウス９０３の代わりに、タッチパネル、タッチパッド、トラックボール、ペンタブレット、あるいは、その他のポインティングデバイスが用いられてもよい。
【００３８】
物品管理装置１５０は、プログラムを実行するＣＰＵ９１１（Ｃｅｎｔｒａｌ・Ｐｒｏｃｅｓｓｉｎｇ・Ｕｎｉｔ）を備えている。ＣＰＵ９１１は、処理装置１９１の一例である。ＣＰＵ９１１は、バス９１２を介してＲＯＭ９１３（Ｒｅａｄ・Ｏｎｌｙ・Ｍｅｍｏｒｙ）、ＲＡＭ９１４（Ｒａｎｄｏｍ・Ａｃｃｅｓｓ・Ｍｅｍｏｒｙ）、通信ボード９１５、ＬＣＤ９０１、キーボード９０２、マウス９０３、ＦＤＤ９０４、ＣＤＤ９０５、プリンタ９０６、ＨＤＤ９２０（Ｈａｒｄ・Ｄｉｓｋ・Ｄｒｉｖｅ）と接続され、これらのハードウェアデバイスを制御する。ＨＤＤ９２０の代わりに、フラッシュメモリ、光ディスク装置、メモリカードリーダライタ、あるいは、その他の記録媒体が用いられてもよい。
【００３９】
ＲＡＭ９１４は、揮発性メモリの一例である。ＲＯＭ９１３、ＦＤＤ９０４、ＣＤＤ９０５、ＨＤＤ９２０は、不揮発性メモリの一例である。これらは、記憶装置１９２の一例である。通信ボード９１５、キーボード９０２、マウス９０３、ＦＤＤ９０４、ＣＤＤ９０５は、入力装置１９３の一例である。また、通信ボード９１５、ＬＣＤ９０１、プリンタ９０６は、出力装置１９４の一例である。
【００４０】
通信ボード９１５は、ＬＡＮ（Ｌｏｃａｌ・Ａｒｅａ・Ｎｅｔｗｏｒｋ）等に接続されている。通信ボード９１５は、ＬＡＮに限らず、ＩＰ−ＶＰＮ（Ｉｎｔｅｒｎｅｔ・Ｐｒｏｔｏｃｏｌ・Ｖｉｒｔｕａｌ・Ｐｒｉｖａｔｅ・Ｎｅｔｗｏｒｋ）、広域ＬＡＮ、ＡＴＭ（Ａｓｙｎｃｈｒｏｎｏｕｓ・Ｔｒａｎｓｆｅｒ・Ｍｏｄｅ）ネットワークといったＷＡＮ（Ｗｉｄｅ・Ａｒｅａ・Ｎｅｔｗｏｒｋ）、あるいは、インターネットに接続されていても構わない。ＬＡＮ、ＷＡＮ、インターネットは、ネットワーク３００の一例である。
【００４１】
ＨＤＤ９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。プログラム群９２３には、本実施の形態の説明において「〜部」として説明する機能を実行するプログラムが含まれている。プログラムは、ＣＰＵ９１１により読み出され実行される。ファイル群９２４には、本実施の形態の説明において、「〜データ」、「〜情報」、「〜ＩＤ（識別子）」、「〜フラグ」、「〜結果」として説明するデータや情報や信号値や変数値やパラメータが、「〜ファイル」や「〜データベース」や「〜テーブル」の各項目として含まれている。「〜ファイル」や「〜データベース」や「〜テーブル」は、ＲＡＭ９１４やＨＤＤ９２０等の記録媒体に記憶される。ＲＡＭ９１４やＨＤＤ９２０等の記録媒体に記憶されたデータや情報や信号値や変数値やパラメータは、読み書き回路を介してＣＰＵ９１１によりメインメモリやキャッシュメモリに読み出され、抽出、検索、参照、比較、演算、計算、制御、出力、印刷、表示といったＣＰＵ９１１の処理（動作）に用いられる。抽出、検索、参照、比較、演算、計算、制御、出力、印刷、表示といったＣＰＵ９１１の処理中、データや情報や信号値や変数値やパラメータは、メインメモリやキャッシュメモリやバッファメモリに一時的に記憶される。
【００４２】
本実施の形態の説明において用いるブロック図やフローチャートの矢印の部分は主としてデータや信号の入出力を示す。データや信号は、ＲＡＭ９１４等のメモリ、ＦＤＤ９０４のフレキシブルディスク（ＦＤ）、ＣＤＤ９０５のコンパクトディスク（ＣＤ）、ＨＤＤ９２０の磁気ディスク、光ディスク、ＤＶＤ（Ｄｉｇｉｔａｌ・Ｖｅｒｓａｔｉｌｅ・Ｄｉｓｃ）、あるいは、その他の記録媒体に記録される。また、データや信号は、バス９１２、信号線、ケーブル、あるいは、その他の伝送媒体により伝送される。
【００４３】
本実施の形態の説明において「〜部」として説明するものは、「〜回路」、「〜装置」、「〜機器」であってもよく、また、「〜ステップ」、「〜工程」、「〜手順」、「〜処理」であってもよい。即ち、「〜部」として説明するものは、ＲＯＭ９１３に記憶されたファームウェアで実現されていても構わない。あるいは、「〜部」として説明するものは、ソフトウェアのみ、あるいは、素子、デバイス、基板、配線といったハードウェアのみで実現されていても構わない。あるいは、「〜部」として説明するものは、ソフトウェアとハードウェアとの組み合わせ、あるいは、ソフトウェアとハードウェアとファームウェアとの組み合わせで実現されていても構わない。ファームウェアとソフトウェアは、プログラムとして、フレキシブルディスク、コンパクトディスク、磁気ディスク、光ディスク、ＤＶＤ等の記録媒体に記憶される。プログラムはＣＰＵ９１１により読み出され、ＣＰＵ９１１により実行される。即ち、プログラムは、本実施の形態の説明で述べる「〜部」としてコンピュータを機能させるものである。あるいは、プログラムは、本実施の形態の説明で述べる「〜部」の手順や方法をコンピュータに実行させるものである。
【００４４】
図４は、物品管理システム１００の動作（本実施の形態に係る物品管理方法、本実施の形態に係るプログラムの処理手順）を示すフローチャートである。
【００４５】
ステップＳ１１において、リーダ１３０は、アンテナ１２０を介して、保管室２００に保管されている媒体２１０に貼付されたＩＣタグ１１０の全数スキャンを行う。物品管理装置１５０の読取履歴記録部１５２は、スキャン履歴を記録する。
【００４６】
ステップＳ１２において、物品管理装置１５０の物品検出部１５４は、スキャン履歴を参照して、前回のスキャン結果と今回のスキャン結果とを比較する。物品検出部１５４は、前回のスキャン結果と今回のスキャン結果との間で差異が生じた媒体２１０の媒体ＩＤ、最後に存在が確認できた時刻Ｔ１、初めて存在しないことが判った時刻Ｔ２を示す新たなデータを差異テーブルに格納する。このとき、物品検出部１５４は、物品管理装置１５０の貸出履歴記録部１５３が記録している媒体２１０の貸し出し情報に、新たなデータに係る媒体２１０が含まれていれば、そのデータを差異テーブルから消去する（即ち、差異テーブルに格納しない）。
【００４７】
新たなデータが差異テーブルに格納されなかった場合、即ち、媒体２１０の持ち出しがなかった場合、ステップＳ１３に進む。新たなデータが差異テーブルに格納された場合、即ち、媒体２１０の持ち出しがあった場合、ステップＳ１４に進む。
【００４８】
ステップＳ１３において、一定の遅延時間が経過すると、ステップＳ１１に戻る。この遅延時間は、後述するように、保管室２００への入室者の数によって調整されてもよい。
【００４９】
ステップＳ１４において、物品検出部１５４は、物品管理装置１５０の人物抽出部１５５の起動条件が満たされているかどうか判定する。例えば、以下のいずれかを起動条件とすることができる。
（１）人が退室して保管室２００に誰もいなくなったタイミング
（２）保管室２００に人がいるが、時刻Ｔ２から一定の時間が経った場合
（３）定時起動（例えば、日替わり、毎正時）
【００５０】
（１）の場合、物品検出部１５４は、物品管理装置１５０の出入履歴記録部１５１を参照して、時刻Ｔ２の後、保管室２００から人がいなくなったときに、人物抽出部１５５に動作を開始させる。（２）の場合、物品検出部１５４は、物品管理装置１５０の出入履歴記録部１５１を参照して、時刻Ｔ２から一定の時間が経過したときに、人物抽出部１５５に動作を開始させる。（３）の場合、物品検出部１５４は、予め定められた単位期間ごとに、人物抽出部１５５に動作を開始させる。
【００５１】
起動条件が満たされると、ステップＳ１５に進む。
【００５２】
ステップＳ１５において、人物抽出部１５５は、疑わしい人物を特定する。その後、ステップＳ１３に進む。
【００５３】
なお、この例では、ステップＳ１１の次に必ずステップＳ１２を実行している（即ち、ステップＳ１１とステップＳ１２とを同じ頻度で実行している）が、ステップＳ１１とステップＳ１２とを別々の頻度で実行してもよい。例えば、ステップＳ１１は１０分ごとに実行し、ステップＳ１２は１時間ごとに実行するようにしてもよい。その場合、ステップＳ１２では、まだ比較していないスキャン結果全てを対象にスキャン結果の比較を行う。
【００５４】
図５は、ステップＳ１５における人物抽出部１５５の動作を示すフローチャートである。
【００５５】
ステップＳ２１において、人物抽出部１５５は、出入履歴記録部１５１が記録している入退室ログを読み込む。
【００５６】
ステップＳ２２において、人物抽出部１５５は、入退室ログで、退室時刻が時刻Ｔ１より後、もしくは、退室時刻がｎｕｌｌ（即ち、まだ室内にいる）の人であって、入室時刻が時刻Ｔ２以前の人を、疑わしい人物のリストに入れる。
【００５７】
最終的に得られたリストが、時刻Ｔ１から時刻Ｔ２までの間に媒体２１０を持ち出した人物の候補のリストとなる。
【００５８】
以上より、本実施の形態によれば、媒体２１０が保管室２００から持ち出された場合に、その媒体２１０を持ち出した人物を特定することが可能となる。
【００５９】
なお、本実施の形態において、保管室２００に保管される媒体２１０は、商品等、他の種類の物品であっても構わない。
【００６０】
本実施の形態において、ＩＣタグ１１０は、カラーバーコード等、他の種類の識別子記録体であっても構わない。カラーバーコードを用いる場合、例えば、媒体ＩＤ「１」が記録された（即ち、符号化された）カラーバーコードは、媒体ＩＤ「１」の媒体２１０に付される（即ち、印刷される）。また、アンテナ１２０に代えて、カメラが保管室２００に設置される。リーダ１３０は、カメラを用いて、保管室２００に保管されている媒体２１０の媒体ＩＤを繰り返し読み取る。
【００６１】
本実施の形態において、リーダ１３０は、リーダライタであっても構わない。また、アンテナ１２０及び（アンテナ分離型の）リーダ１３０は、アンテナ内蔵型のリーダであっても構わない。アンテナ内蔵型のリーダを用いる場合、保管室２００に保管される全ての媒体２１０のＩＣタグ１１０に電波が届くように（例えば、保管室２００の天井等に分散して）アンテナ内蔵型のリーダが複数個設置される。
【００６２】
本実施の形態において、物品管理装置１５０の物品検出部１５４は、出入履歴記録部１５１を参照して、保管室２００にいる人の数に応じて、保管室２００に保管されている媒体２１０の媒体ＩＤをリーダ１３０に読み取らせるタイミングを調整しても構わない。即ち、媒体２１０の棚卸しの間隔を可変としてもよい。例えば、デフォルトの設定として、リーダ１３０が１０分間隔で媒体２１０の棚卸しを行っていたとする。媒体２１０の棚卸しの間隔を可変とする場合、物品検出部１５４は、出入履歴記録部１５１が記録したデータから、保管室２００にいる人の数が増えたことを検出すると、リーダ１３０に１０分よりも短い間隔で媒体２１０の棚卸しを行わせる（例えば、保管室２００にいる人の数、増減数、増減率等によって、間隔を連続的あるいは段階的に変化させる）。そして、物品検出部１５４は、出入履歴記録部１５１が記録したデータから、保管室２００にいる人の数が減ったことを検出すると、リーダ１３０に現在の間隔よりも短い間隔あるいは再び１０分間隔で媒体２１０の棚卸しを行わせる。
【００６３】
上記のように、媒体２１０の棚卸しの間隔を可変とすることで、保管室２００にいる人の数が多いときに媒体２１０が持ち出されても、人物抽出部１５５において、その媒体２１０の持ち出しが不可能な者が疑わしき人物として多数抽出されるという事態を回避することができる。よって、媒体２１０が保管室２００から持ち出された場合に、その媒体２１０を持ち出した人物を特定しやすくなる。
【００６４】
また、本実施の形態において、物品管理装置１５０の物品検出部１５４は、読取履歴記録部１５２を参照して、時刻Ｔ２から所定の時間内に媒体ＩＤがリーダ１３０により再び読み取られた媒体２１０を検出の対象から除外しても構わない。即ち、入室者による電波ノイズ等の影響を考慮して、所定の回数連続してデータ欠損となる場合を資産の欠損とみなす等の工夫を施してもよい。例えば、リーダ１３０が１０分ごとに媒体２１０の棚卸しを行っていたとする。読取履歴記録部１５２が、
・時刻：「２０１２年１２月１日１０時００分」
・媒体ＩＤ：「１」〜「７」
というデータと、
・時刻：「２０１２年１２月１日１０時１０分」
・媒体ＩＤ：「１」〜「６」
というデータと、
・時刻：「２０１２年１２月１日１０時２０分」
・媒体ＩＤ：「１」〜「７」
というデータとを記録していたとする。上記のような工夫を施す場合、物品検出部１５４は、時刻Ｔ１である２０１２年１２月１日１０時００分から時刻Ｔ２である２０１２年１２月１日１０時１０分までの間に媒体ＩＤ「７」の媒体２１０が保管室２００から持ち出されているようにみえるが、時刻Ｔ２から１０分以内である２０１２年１２月１日１０時２０分（所定の時間内の一例）に媒体ＩＤ「７」がリーダ１３０により再び読み取られているため、媒体ＩＤ「７」の媒体２１０は持ち出されなかったと処理装置１９１により判定する。
【００６５】
上記のような工夫を施すことで、物品検出部１５４における誤検出の確率を低減させることができる。
【００６６】
本実施の形態では、共連れ入室の考慮はしていないが、監視カメラ等を併設したり、人間による判断を加えたりすることにより、共連れ入室者も含めて監視することが可能となる。
【００６７】
実施の形態２．
本実施の形態について、主に実施の形態１との差異を説明する。
【００６８】
本実施の形態に係る物品管理システム１００の構成は、図１に示した実施の形態１のものと同様である。
【００６９】
物品管理装置１５０の物品検出部１５４は、実施の形態１と同様に、読取履歴記録部１５２を参照して、媒体ＩＤが読み取れなかった媒体２１０と時刻（時刻Ｔ２）とを特定する。そして、物品検出部１５４は、読取履歴記録部１５２を参照して、その媒体２１０の中で、時刻Ｔ２の後に読取履歴記録部１５２に記録された時刻Ｔ３（第３時刻）では媒体ＩＤがリーダ１３０により読み取られなかったが時刻Ｔ３の次に読取履歴記録部１５２に記録された時刻Ｔ４（第４時刻）では媒体ＩＤがリーダ１３０により読み取られた媒体２１０を検出する。例えば、リーダ１３０が１０分ごとに媒体２１０の棚卸しを行っていたとする。物品検出部１５４が、時刻Ｔ１である２０１２年１２月１日１０時００分から時刻Ｔ２である２０１２年１２月１日１０時１０分までの間に媒体ＩＤ「７」の媒体２１０が保管室２００から不正に持ち出されたことを検出していたとする。読取履歴記録部１５２が、
・時刻：「２０１２年１２月１日１９時５０分」
・媒体ＩＤ：「１」〜「６」
というデータと、
・時刻：「２０１２年１２月１日２０時００分」
・媒体ＩＤ：「１」〜「７」
というデータとを記録していたとする。この場合、物品検出部１５４は、時刻Ｔ３である２０１２年１２月１日１９時５０分から時刻Ｔ４である２０１２年１２月１日２０時００分までの間に、不正に持ち出されていた媒体ＩＤ「７」の媒体２１０が保管室２００に戻されたことを処理装置１９１により検出する。このとき、物品検出部１５４は、媒体ＩＤ「７」の媒体２１０が戻されたという情報を出力装置１９４により画面表示したり、音声出力したり、管理者等にメール送信したりしてもよい。
【００７０】
物品管理装置１５０の人物抽出部１５５は、出入履歴記録部１５１を参照して、時刻Ｔ４以前に保管室２００に入って時刻Ｔ３より後に保管室２００を出た人を、物品検出部１５４により検出された媒体２１０を戻した人物の候補として抽出する。例えば、人物抽出部１５５が、職員ＩＤ「Ｘ」の人を、媒体ＩＤ「７」の媒体２１０を持ち出した人物の候補として抽出していたとする。物品検出部１５４が、時刻Ｔ３である２０１２年１２月１日１９時５０分から時刻Ｔ４である２０１２年１２月１日２０時００分までの間に媒体ＩＤ「７」の媒体２１０が保管室２００に戻されたことを検出したとする。出入履歴記録部１５１が、
・時刻：「２０１２年１２月１日１９時５０分」
・職員ＩＤ：「Ｙ」
・種別：「入室」
というデータと、
・時刻：「２０１２年１２月１日１９時５５分」
・職員ＩＤ：「Ｙ」
・種別：「退室」
というデータとを記録していたとする。この場合、人物抽出部１５５は、職員ＩＤ「Ｙ」の人が時刻Ｔ４以前である２０１２年１２月１日１９時５０分に入室して時刻Ｔ３より後である２０１２年１２月１日１９時５５分に退室しているため、職員ＩＤ「Ｙ」の人を、媒体ＩＤ「７」の媒体２１０を戻した人物の候補として処理装置１９１により抽出する。そして、人物抽出部１５５は、職員ＩＤ「Ｙ」の人が、持ち出されていた媒体ＩＤ「７」の媒体２１０を戻したことが疑われるという情報を出力装置１９４により画面表示したり、音声出力したり、管理者等にメール送信したりする。このとき、人物抽出部１５５は、職員ＩＤ「Ｙ」の人が、職員ＩＤ「Ｘ」の人の共謀者であることが疑われるという情報を出力装置１９４により画面表示したり、音声出力したり、管理者等にメール送信したりしてもよい。また、職員ＩＤ「Ｙ」の人ではなく、職員ＩＤ「Ｘ」の人が、媒体ＩＤ「７」の媒体２１０を戻した人物の候補として抽出されたのであれば、人物抽出部１５５は、職員ＩＤ「Ｘ」の人が媒体ＩＤ「７」の媒体２１０を持ち出した後、不正を隠すために戻したことが強く疑われるという情報を出力装置１９４により画面表示したり、音声出力したり、管理者等にメール送信したりしてもよい。
【００７１】
図６は、人物抽出部１５５による抽出の対象となる人物の入退室のタイミングを示す図である。
【００７２】
図６において、不正に持ち出されていた媒体２１０の媒体ＩＤが、時刻Ｔ３ではリーダ１３０により読み取られなかったが、時刻Ｔ４ではリーダ１３０により読み取られたとする。このとき、以下のように、職員ＩＤ「Ａ」、「Ｂ」、「Ｃ」、「Ｄ」の人が人物抽出部１５５による抽出の対象となる。
（Ａ）職員ＩＤ「Ａ」の人は、時刻Ｔ３より前に入室して時刻Ｔ４より後に退室しているため、時刻Ｔ３の前後は、該当する媒体２１０を保管室２００内でアンテナ１２０の電波から隠しておき、時刻Ｔ３から時刻Ｔ４までの間に、該当する媒体２１０を保管室２００内で元に戻すことができた人物である。よって、職員ＩＤ「Ａ」の人は、人物抽出部１５５による抽出の対象となる。
（Ｂ）職員ＩＤ「Ｂ」の人は、時刻Ｔ３から時刻Ｔ４までの間に入室及び退室しているため、時刻Ｔ３から時刻Ｔ４までの間に、該当する媒体２１０を保管室２００内で元に戻すことができた人物である。よって、職員ＩＤ「Ｂ」の人は、人物抽出部１５５による抽出の対象となる。
（Ｃ）職員ＩＤ「Ｃ」の人は、時刻Ｔ３から時刻Ｔ４までの間に入室して時刻Ｔ４より後に退室しているため、時刻Ｔ３から時刻Ｔ４までの間に、該当する媒体２１０を保管室２００内で元に戻すことができた人物である。よって、職員ＩＤ「Ｃ」の人は、人物抽出部１５５による抽出の対象となる。
（Ｄ）職員ＩＤ「Ｄ」の人は、時刻Ｔ３より前に入室して時刻Ｔ３から時刻Ｔ４までの間に退室しているため、時刻Ｔ３の前後は、該当する媒体２１０を保管室２００内でアンテナ１２０の電波から隠しておき、時刻Ｔ３から時刻Ｔ４までの間に、該当する媒体２１０を保管室２００内で元に戻すことができた人物である。よって、職員ＩＤ「Ｄ」の人は、人物抽出部１５５による抽出の対象となる。
【００７３】
以上より、本実施の形態によれば、媒体２１０が保管室２００から持ち出された後、保管室２００に戻された場合に、その媒体２１０を戻した人物も特定することが可能となる。例えば、情報の漏洩等が発覚したときに、その情報を記録した媒体２１０を保管室２００から持ち出した者だけでなく、保管室２００に戻した者を特定することで、情報の漏洩等に関与した者を１人でも多く見つけたり（共謀者が媒体２１０を戻した場合）、より確実に見つけたり（媒体２１０を持ち出した者が戻した場合）することができる。
【００７４】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００７５】
１００  物品管理システム、１１０  ＩＣタグ、１２０  アンテナ、１３０  リーダ、１４０  入退室ゲート、１５０  物品管理装置、１５１  出入履歴記録部、１５２  読取履歴記録部、１５３  貸出履歴記録部、１５４  物品検出部、１５５  人物抽出部、１９１  処理装置、１９２  記憶装置、１９３  入力装置、１９４  出力装置、２００  保管室、２１０  媒体、３００  ネットワーク、９０１  ＬＣＤ、９０２  キーボード、９０３  マウス、９０４  ＦＤＤ、９０５  ＣＤＤ、９０６  プリンタ、９１１  ＣＰＵ、９１２  バス、９１３  ＲＯＭ、９１４  ＲＡＭ、９１５  通信ボード、９２０  ＨＤＤ、９２１  オペレーティングシステム、９２２  ウィンドウシステム、９２３  プログラム群、９２４  ファイル群。
【図１】
2014118274.tif 000003
【図２】
2014118274.tif 000004
【図３】
2014118274.tif 000005
【図４】
2014118274.tif 000006
【図５】
2014118274.tif 000007
【図６】
2014118274.tif 000008
【手続補正書】
【提出日】平成25年6月14日(2013.6.14)
【手続補正１】
【補正対象書類名】特許請求の範囲
【補正対象項目名】全文
【補正方法】変更
【補正の内容】
【特許請求の範囲】
【請求項１】
物品を一意に識別する識別子が記録された識別子記録体が付された物品が複数保管される保管場所に設置され、前記保管場所に保管されている物品のそれぞれに付された識別子記録体から前記保管場所に保管されている物品の識別子を繰り返し読み取る識別子読取装置と、
前記保管場所に対する人の出入りを時刻とともに記録する出入履歴記録部と、
前記保管場所に保管されている物品の識別子が前記識別子読取装置により読み取られる度に、前記識別子読取装置により読み取られた識別子を時刻とともに記録する読取履歴記録部と、
前記読取履歴記録部を参照して、第１時刻では識別子が前記識別子読取装置により読み取られたが前記第１時刻の次に前記読取履歴記録部に記録された第２時刻では識別子が前記識別子読取装置により読み取られなかった物品を検出する物品検出部と、
前記出入履歴記録部を参照して、前記第１時刻より前に前記保管場所に入って前記第２時刻より後に前記保管場所を出た人と、前記第１時刻から前記第２時刻までの間に前記保管場所に入って前記第１時刻から前記第２時刻までの間に前記保管場所を出た人と、前記第１時刻から前記第２時刻までの間に前記保管場所に入って前記第２時刻より後に前記保管場所を出た人と、前記第１時刻より前に前記保管場所に入って前記第１時刻から前記第２時刻までの間に前記保管場所を出た人とを、前記物品検出部により検出された物品を持ち出した人物の候補として抽出する人物抽出部と
を備えることを特徴とする物品管理システム。
【請求項２】
前記保管場所に保管されている物品の貸し出しを時刻とともに記録する貸出履歴記録部をさらに備え、
前記物品検出部は、前記貸出履歴記録部を参照して、前記第１時刻から前記第２時刻までに貸し出された物品を検出の対象から除外することを特徴とする請求項１の物品管理システム。
【請求項３】
前記物品検出部は、前記出入履歴記録部を参照して、前記保管場所にいる人の数に応じて、前記保管場所に保管されている物品の識別子を前記識別子読取装置に読み取らせるタイミングを調整することを特徴とする請求項１又は２の物品管理システム。
【請求項４】
前記物品検出部は、前記読取履歴記録部を参照して、前記第２時刻から所定の時間内に識別子が前記識別子読取装置により再び読み取られた物品を検出の対象から除外することを特徴とする請求項１から３のいずれかの物品管理システム。
【請求項５】
前記物品検出部は、前記読取履歴記録部を参照して、前記第２時刻の後に前記読取履歴記録部に記録された第３時刻では識別子が前記識別子読取装置により読み取られなかったが前記第３時刻の次に前記読取履歴記録部に記録された第４時刻では識別子が前記識別子読取装置により読み取られた物品を検出し、
前記人物抽出部は、前記出入履歴記録部を参照して、前記第４時刻以前に前記保管場所に入って前記第３時刻より後に前記保管場所を出た人を、前記物品検出部により検出された物品を戻した人物の候補として抽出することを特徴とする請求項１から３のいずれかの物品管理システム。
【請求項６】
前記物品検出部は、前記保管場所から人がいなくなったときに、前記人物抽出部に動作を開始させることを特徴とする請求項１から５のいずれかの物品管理システム。
【請求項７】
前記物品検出部は、前記第２時刻から一定の時間が経過したときに、前記人物抽出部に動作を開始させることを特徴とする請求項１から５のいずれかの物品管理システム。
【請求項８】
前記物品検出部は、予め定められた単位期間ごとに、前記人物抽出部に動作を開始させることを特徴とする請求項１から５のいずれかの物品管理システム。
【請求項９】
前記識別子記録体は、ＩＣタグであることを特徴とする請求項１から８のいずれかの物品管理システム。
【請求項１０】
物品を一意に識別する識別子が記録された識別子記録体が付された物品が複数保管される保管場所に設置され、前記保管場所に保管されている物品のそれぞれに付された識別子記録体から前記保管場所に保管されている物品の識別子を繰り返し読み取る識別子読取装置とを利用する物品管理装置であって、
前記保管場所に対する人の出入りを時刻とともに記録する出入履歴記録部と、
前記保管場所に保管されている物品の識別子が前記識別子読取装置により読み取られる度に、前記識別子読取装置により読み取られた識別子を時刻とともに記録する読取履歴記録部と、
前記読取履歴記録部を参照して、第１時刻では識別子が前記識別子読取装置により読み取られたが前記第１時刻の次に前記読取履歴記録部に記録された第２時刻では識別子が前記識別子読取装置により読み取られなかった物品を、持ち出された物品として検出する物品検出部と、
前記出入履歴記録部を参照して、前記第１時刻より前に前記保管場所に入って前記第２時刻より後に前記保管場所を出た人と、前記第１時刻から前記第２時刻までの間に前記保管場所に入って前記第１時刻から前記第２時刻までの間に前記保管場所を出た人と、前記第１時刻から前記第２時刻までの間に前記保管場所に入って前記第２時刻より後に前記保管場所を出た人と、前記第１時刻より前に前記保管場所に入って前記第１時刻から前記第２時刻までの間に前記保管場所を出た人とを、前記物品検出部により検出された物品を持ち出した人物の候補として抽出する人物抽出部と
を備えることを特徴とする物品管理装置。
【請求項１１】
物品を一意に識別する識別子が記録された識別子記録体が付された物品が複数保管される保管場所に設置され、前記保管場所に保管されている物品のそれぞれに付された識別子記録体から前記保管場所に保管されている物品の識別子を繰り返し読み取る識別子読取装置とを利用するコンピュータであって、前記保管場所に対する人の出入りを時刻とともに記録する出入履歴記録部と、前記保管場所に保管されている物品の識別子が前記識別子読取装置により読み取られる度に、前記識別子読取装置により読み取られた識別子を時刻とともに記録する読取履歴記録部とを備えるコンピュータを、
前記読取履歴記録部を参照して、第１時刻では識別子が前記識別子読取装置により読み取られたが前記第１時刻の次に前記読取履歴記録部に記録された第２時刻では識別子が前記識別子読取装置により読み取られなかった物品を検出する物品検出部と、
前記出入履歴記録部を参照して、前記第１時刻より前に前記保管場所に入って前記第２時刻より後に前記保管場所を出た人と、前記第１時刻から前記第２時刻までの間に前記保管場所に入って前記第１時刻から前記第２時刻までの間に前記保管場所を出た人と、前記第１時刻から前記第２時刻までの間に前記保管場所に入って前記第２時刻より後に前記保管場所を出た人と、前記第１時刻より前に前記保管場所に入って前記第１時刻から前記第２時刻までの間に前記保管場所を出た人とを、前記物品検出部により検出された物品を持ち出した人物の候補として抽出する人物抽出部
として機能させるためのプログラム。